(57)【要約】【課題】ボールペンチップの美観を向上させつつその耐久性も損なわないような処置を施したインクリフィルを提供する。【解決手段】インク41を収容するインク収容管40と、このインク収容管40の先端に装着されるボールペンチップ20と、このボールペンチップ20が露出している部分のうち先端部分のみを露出させつつその他の部分を被覆するアルミニウム製のカバー部材50と、を備えるインクリフィル10であって、前記カバー部材50の表面はアルマイト処理されている。【選択図】図１
2013188897.tif 000002
【特許請求の範囲】
【請求項１】
インクを収容するインク収容管と、
前記インク収容管の先端に装着されるボールペンチップと、
前記ボールペンチップが露出している部分のうち先端部分のみを露出させつつその他の部分を被覆するアルミニウム製のカバー部材と、を備えるインクリフィルであって、
前記カバー部材の表面はアルマイト処理されていることを特徴とするインクリフィル。
【請求項２】
前記アルマイト処理により前記カバー部材の表面は着色されていることを特徴とする請求項１記載のインクリフィル。
【請求項３】
前記カバー部材の表面の表面粗さ（Ｒａ）が０．７μｍ以下であることを特徴とする請求項１又は２記載のインクリフィル。
【請求項４】
前記インク収容管と前記ボールペンチップとの間に介在する継手を備えるとともに、
前記継手は、円柱状の本体部と、この本体部の先端側であって外周がこの本体部より小径に形成されている先端部と、この本体部の後端側であって外周がこの本体部より小径に形成されている後端部と、により構成されているとともに、
前記後端部は、前記インク収容管の先端に圧入され、
前記先端部には、前記ボールペンチップの後端部分が圧入され、
前記カバー部材は、前記先端部の全体と、この先端部から突出する前記ボールペンチップの途中部分までを被覆することで、このカバー部材から前記ボールペンチップの先端部分が突出していることを特徴とする請求項１、２又は３記載のインクリフィル。
【請求項５】
請求項１、２、３又は４記載のインクリフィルが装着されていることを特徴とする筆記具。
【発明の詳細な説明】
【技術分野】
【０００１】
本発明は、ボールペンチップの表面の一部を被覆するカバー部材を備えたインクリフィル及びこのインクリフィルが装着された筆記具に関する。
【背景技術】
【０００２】
従来、ボールペンチップにおいて筆記ボールを抱持するホルダーはステンレス鋼等の金属製が主流である。このような金属製のボールペンチップは、当然材質に起因する金属色を呈するものである。
このような金属色を呈するボールペンチップを、たとえば使用されるインク色を想起させるように着色したいという設計上の要望はしばしば寄せられるものである。その要望に応える方法としては、たとえば、ボールペンチップの表面に塗料を用いて塗装することが考えられる。
一方、たとえば下記特許文献１記載の発明のように、塗装によらず、ボールペンチップの先端付近に着色した装飾体を設けるという技術も提供されている。すなわち、同文献記載の発明では、ボールペンチップの外周に、リング状ないし円錐状の合成樹脂製の装飾体を装着し、たとえばこれをインクと同色としたりすることで、インク色の識別を容易にすることとしている。
【先行技術文献】
【特許文献】
【０００３】
【特許文献１】特開２００２−３２６４８７号公報
【発明の概要】
【発明が解決しようとする課題】
【０００４】
上記従来技術における、ボールペンチップの塗装は、使用に伴う接触によって剥落しやすいものである。特に、複数色のインクリフィルが装着される多色ボールペンでは、インクリフィルの切り替えが頻繁であるため、ボールペンチップと軸との接触も起こりやすく、それによる塗装の剥落の可能性がより高くなっている。
また、ボールペンチップに装着される合成樹脂製の装飾体の場合も、ボールペンチップ本体の材質である金属に比べ剛性に乏しいため、使用に伴う接触によって摩耗及び破損しやすいものである。特に、複数色のインクリフィルが装着される多色ボールペンでは、インクリフィルの切り替えが頻繁であるため、インクリフィルの繰り出しの際にボールペンチップと軸との接触も起こりやすく、それによる装飾体の摩耗及び破損の可能性がより高くなっている。また、使用環境によっては、経時的な劣化を被る可能性が高くなる。
【０００５】
上記の問題点に鑑み、本発明は、ボールペンチップの美観を向上させつつその耐久性も損なわないような処置を施したインクリフィル及びこれを使用した筆記具の提供を課題とする。
【課題を解決するための手段】
【０００６】
上記の課題に鑑み、本発明は、
インク41を収容するインク収容管40と、
前記インク収容管40の先端に装着されるボールペンチップ20と、
前記ボールペンチップ20が露出している部分のうち先端部分のみを露出させつつその他の部分を被覆するアルミニウム製のカバー部材50と、を備えるインクリフィル10であって、
前記カバー部材50の表面はアルマイト処理されていることを特徴とする。
本発明における「先端」とは、本発明に係るインクリフィル10が装着される筆記具70において、筆記先端の位置する側、あるいは筆記先端の位置する側へ向かう方向をいう。また「後端」とは、その反対側あるいは反対方向をいう。
【０００７】
本発明に係るインクリフィル10では、ボールペンチップ20はインク収容管40の先端に直接、あるいは介在する部材を介して装着される。そして、ボールペンチップ20のうち、装着によりインク収容管40（あるいは介在する部材）に挿入される部分以外が、「露出している部分」となる。この露出している部分の一部が、カバー部材50により被覆されることとなっている。ここでこの「一部」とは、ボールペンチップ20の外界に露出している部分のうち、後端側の部分をいう。そしてその他の部分、すなわちこの露出している部分の先端側の部分は露出状態を保っている。なお、ここでいう先端側の部分及び後端側の部分というのは、上記露出している部分において任意の箇所に境界を設定し、それより先端側か後端側かで区分したものであり、その割合は特に限定されず任意である。ただし、強度及び装飾性に鑑みれば、上記露出している部分の半分以上を後端側の部分としてカバー部材50で被覆される部分とすることが望ましい。
【０００８】
このカバー部材50はアルミニウム製であるとともに、その表面はアルマイト処理されている。よって、アルミニウム自体による耐久性に加え、アルマイト処理による表面の耐久性の強化と、美感の向上とが図られることとなっている。なお、このカバー部材50の具体的な材質としては、１０００系（純アルミニウム）、３０００系（アルミ−マンガン系合金）又は５０００系（アルミ−マグネシウム系合金）が、アルマイト処理の容易さという点で望ましい。
なお、このカバー部材50の形状は、ボールペンチップ20の上記「その他の部分」を被覆することができるものであれば特に限定はないが、ボールペンチップ20が通常備える、先端先細のテーパー形状のような、略円錐形状の部分を備えるように形成されることが望ましい。
【０００９】
また、本発明に係るインクリフィル10においては、前記アルマイト処理により前記カバー部材50の表面は着色されていることとしてもよい。すなわち、前記カバー部材50の表面はアルマイト処理されていることから、着色処理も容易である。これにより、インク色に応じた着色が容易となるため、特に多色ボールペンのように、複数色のインクリフィル10を使用する場合、ボールペンチップ20先端の着色アルマイトによって、インク色を判別させることも可能となる。また、単色ボールペンでインクリフィル10が外観から視認できないような場合であっても同様に、ボールペンチップ20先端の着色アルマイトによって、インク色を判別させることが可能となる。
【００１０】
さらに、本発明に係るインクリフィル10においては、前記カバー部材50の表面の表面粗さ（Ｒａ）が０．７μｍ以下であることが望ましい。ここで、表面粗さ（Ｒａ）が０．７μｍを上回ると、アルマイト処理を行った際、カバー部材50表面が鈍い色味となってしまうとともに、充分な光沢感が得られないため望ましくない。すなわち、表面粗さが０．７μｍ以下であることで、アルマイト特有の美しい光沢感をより効果的に発揮できることとなっている。
また、本発明に係るインクリフィル10においては、前記インク収容管40と前記ボールペンチップ20との間に介在する継手30を備えるとともに、
前記継手30は、円柱状の本体部31と、この本体部31の先端側であって外周がこの本体部31より小径に形成されている先端部32と、この本体部31の後端側であって外周がこの本体部31より小径に形成されている後端部33と、により構成されているとともに、
前記後端部33は、前記インク収容管40の先端に圧入され、
前記先端部32には、前記ボールペンチップ20の後端部分が圧入され、
前記カバー部材50は、前記先端部32の全体と、この先端部32から突出する前記ボールペンチップ20の途中部分までを被覆することで、このカバー部材50から前記ボールペンチップ20の先端部分が突出していることが望ましい。
【００１１】
すなわち、本発明に係るインクリフィル10におけるボールペンチップ20は、上記形状の継手30を介してインク収容管40に装着されることが望ましい。そしてこの場合、カバー部材50は、この継手30の先端部32とともに、ボールペンチップ20の後端側の部分を被覆することとなっている。これにより、カバー部材50が継手30とボールペンチップ20との接合を補強する効果も発揮されることになる。
そして、本発明に係るインクリフィル10は、筆記具70に装着されるものである。ここで筆記具70とは、単色ボールペン及び多色ボールペンのいずれでもよい。また、単色又は多色のインクリフィル10と、ボールペン以外の筆記具ユニット、たとえばシャープペンシルユニット72を同一の軸筒71内に収容したいわゆる多機能筆記具70も、ここでいう筆記具70に含まれるものである。
【発明の効果】
【００１２】
上記の構造を備えることにより、本発明によれば、ボールペンチップの美観を向上させつつその耐久性も損なわないような処置を施したインクリフィル及びこれを使用した筆記具の提供が可能となる。
【図面の簡単な説明】
【００１３】
【図１】本発明の実施の形態に係るインクリフィルの先端部材の外観を、正面図（Ａ）及び正面断面図（Ｂ）で示す。
【図２】本発明の実施の形態に係るインクリフィルの先端部材の、インク収容管への装着直前の状態を正面断面図で示す。
【図３】図２に示すインクリフィルの先端部材の変形例を正面断面図で示す。
【図４】図２に示すインクリフィルの先端部材の変形例を正面断面図で示す。
【図５】本発明の実施の形態に係るインクリフィルを正面図（Ａ）及び正面断面図（Ｂ）で示す。
【図６】本発明の実施の形態に係る筆記具を右側面断面図（Ａ）及び正面断面図（Ｂ、Ｃ）で示す。
【発明を実施するための形態】
【００１４】
本発明の実施の形態を、図面を参照しつつ説明する。
本発明の実施の形態に係るインクリフィル10の先端部材は、図１に示すように、継手30と、その先端に装着されるボールペンチップ20（図１（Ｂ）参照）と、これら継手30の一部及びボールペンチップ20の一部を被覆するカバー部材50とにより構成される。
ポリブチレンテレフタレート（ＰＢＴ樹脂）製の射出成形により形成される継手30は、略円柱状で全体のほぼ中間に位置する本体部31（図１（Ａ）、（Ｂ））と、この本体部31の先端側に位置し、外周が小径に形成されている先端部32（図１（Ｂ））と、この本体部31の後端側に位置し、外周が小径に形成されている後端部33（図１（Ａ）、（Ｂ））とにより構成される。
【００１５】
ボールペンチップ20は、ステンレス鋼製の略円柱状のホルダー21と、このホルダー21の先端部分に抱持される超硬合金製の筆記ボール28とにより構成される。このホルダー21の外周先端側は、先細のテーパー部22として形成されている。このテーパー部22の先端側の内部空間は、筆記ボール28が挿入されるテーパー部23として形成されている。一方、このホルダー21の後端から、テーパー部23の近傍までの内部空間はバック孔24として形成されている。さらに、テーパー部23とバック孔24とを連結するインク導孔25、そしてこのインク導孔25周囲に放射状に形成されるチャンネル溝26もホルダー21には形成されている。そして、テーパー部22の先端縁は、内方に縮径されたカシメ部27として形成され、これによりテーパー部23に挿入された筆記ボール28の脱落を防止している。
【００１６】
ボールペンチップ20の後半部分は、継手30の先端部32の内部へ圧入され、これに伴い、前半部分が継手30の先端から突出して露出した部分となっている。
継手30の先端にボールペンチップ20が装着された状態で、先端からアルミニウム製のカバー部材50が被覆される（（図１（Ｂ）））。
カバー部材50の外形は、円柱状を呈する円柱部51と、この円柱部51の先端側で、テーパー状に先細に縮径した縮径部52から構成されている（図１（Ａ））。このカバー部材50のうち円柱部51の内部空間の内径は、継手30の先端部32の外径と略同一となっている（図１（Ｂ））。また、このカバー部材50のうち縮径部52の内部空間の内径は、ボールペンチップ20の外径と略同一となっている。（図１（Ｂ））さらに、この円柱部51の内部空間と、縮径部52の内部空間との間は、先端に向かってテーパー状に徐々に径を減じている（図１（Ｂ））。
【００１７】
カバー部材50の表面は、使用するインク41の色に対応した着色アルマイト処理が施され、さらに、表面粗さ（Ｒａ）０．３５９μｍに仕上げられている。なお、この表面粗さ（Ｒａ）は、非接触式三次元測定器ＮＨ−３（三鷹光器（株）製）を用いて測定した。この測定器による測定条件は、カットオフ値０．８ｍｍ、測定長さ４ｍｍに設定し、カバー部材50表面を円筒軸方向に測定した。
そして、カバー部材50は、継手30の先端部32の全体と、ボールペンチップ20が継手30の先端から露出している部分のうちの後端側の部分とを被覆する（図１（Ｂ））。これにより、継手30の先端部32は外部からは視認できず、また、ボールペンチップ20のうち、テーパー部22を含む先端部分のみがカバー部材50の先端から露出することとなっている（図１（Ａ））。
【００１８】
さらに、継手30の後端からは、図２に示すように、先端側が棒状部分61となっていて、後端側がコイル部分62となっているスプリング60が挿入される。この棒状部分61の先端は、筆記ボール28の後端に当接している。また、スプリング60の後端は、継手30の後端部33を外周からポンチ加工することで内方に突出させた係止突起34により係止されている。このスプリング60は、筆記ボール28を常に先端方向へ付勢することで、筆記具70を使用していない状態でインク41が先端から漏出するのを防止する目的で設けられている。
なお、このスプリング60の後端は、図３の変形例に示すように、スプリング60の挿入後に継手30の後端から挿入される係止部材35によって係止されることとしてもよい。
【００１９】
また、図４の変形例に示すように、スプリング60の挿入後に継手30の後端を内方にかしめることで後端カシメ部36を形成し、これによってこのスプリング60の後端を係止することとしてもよい。
図２に示す継手30の後端部33は、図５（Ａ）に示すように、インク収容管40の先端に圧入され、インクリフィル10となる。インク収容管40には、カバー部材50の色彩と対応する色彩のインク41が充填される。さらに、インク41の漏出防止目的で、グリース状の追従体42も充填される（図５（Ｂ））。
図５に示すインクリフィル10は、図６に示す多機能筆記具70に装着される。すなわち、この多機能筆記具70の外形を構成する軸筒71の中には、２本のインクリフィル10（図６（Ｂ）、（Ｃ））及び１本のシャープペンシルユニット72が収容されている。２本のインクリフィル10はそれぞれ、ボールペンノック機構73に接続されている（図６（Ｂ））。また、シャープペンシルユニット72は、シャープペンシルノック機構74に接続されている（図６（Ａ））。シャープペンシルノック機構74には、クリップ75が装着されている（図６（Ａ））。
【００２０】
本実施の形態に係る多機能筆記具70では、図６（Ｂ）に示す状態では、軸筒71の先端からはいずれの筆記先端も突出していない。この状態から、ボールペンノック機構73のうちの一方を先端方向へ押圧すると、図６（Ｃ）に示すように、対応するボールペンリフィルのボールペンチップ20が、カバー部材50とともに軸筒71の先端から突出することになる。このとき、軸筒71の先端から突出しているこのカバー部材50の色彩により、使用者は使用しているインク41の色を認識することが可能となっている。
【産業上の利用可能性】
【００２１】
本発明は、ボールペンのインクリフィルに使用可能である。特に、多色のインクを使用することが想定される多色ボールペンや多機能筆記具に適している。
【符号の説明】
【００２２】
10  インクリフィル
20  ボールペンチップ      21  ホルダー              22  テーパー部
23  ボールハウス          24  バック孔              25  インク導孔
26  チャンネル溝          27  カシメ部              28  筆記ボール
30  継手                  31  本体部                32  先端部
33  後端部                34  係止突起              35  係止部材
36  後端カシメ部
40  インク収容管          41  インク                42  追従体
50  カバー部材            51  円柱部                52  縮径部
60  スプリング            61  棒状部分              62  コイル部分
70  筆記具（多機能筆記具）                          71  軸筒
72  シャープペンシルユニット                        73  ボールペンノック機構
74  シャープペンシルノック機構                      75  クリップ
【図１】
2013188897.tif 000003
【図２】
2013188897.tif 000004
【図３】
2013188897.tif 000005
【図４】
2013188897.tif 000006
【図５】
2013188897.tif 000007
【図６】
2013188897.tif 000008